(57)【要約】【課題】ビス打ち作業の省人化、効率化を図ることができ、木造建築、特に床工事の作業を大幅に改善することを可能にする連続ビス打ち装置を提供する。【解決手段】ビスを打ち込んで部材を固定するためのビス打ち装置Ａであって、フレーム１と、フレーム１に取り付けられ、ビス打ち装置Ａを走行移動させるための走行移動手段２と、フレーム１に一体に取り付けられた複数のビス打ち機４と、複数のビス打ち機４をそれぞれ選択的に駆動させるための制御手段５とを備える。【選択図】図１
2020001278.tif 000002
【特許請求の範囲】
【請求項１】
ビスを打ち込んで部材を固定するためのビス打ち装置であって、
フレームと、前記フレームに取り付けられ、ビス打ち装置を走行移動させるための走行移動手段と、前記フレームに一体に取り付けられた複数のビス打ち機と、前記複数のビス打ち機をそれぞれ選択的に駆動させるための制御手段とを備えることを特徴とする連続ビス打ち装置。
【請求項２】
請求項１記載の連続ビス打ち装置において、
前記複数のビス打ち機がそれぞれ、上下移動手段によって上下の位置を変えることができ、且つ、隣り合うビス打ち機の間隔が調整可能に構成されていることを特徴とする連続ビス打ち装置。
【発明の詳細な説明】
【技術分野】
【０００１】
本発明は、連続ビス打ち装置に関する。
【背景技術】
【０００２】
従来、木造建築等を構築する際には、合板の木製床パネルなどの木製部材を接続固定するためにビス打ち（ビス打ち装置）が多用されている（例えば、特許文献１参照）。
【先行技術文献】
【特許文献】
【０００３】
【特許文献１】特開２００８−０３０３０５号公報
【発明の概要】
【発明が解決しようとする課題】
【０００４】
一方、床パネルを固定するビス打ち作業などでは、作業者が中腰やしゃがんだ姿勢で、片手でビスを持ち、もう一方の手でビス打ち用の電動工具（ビス打ち装置）をもってビスを打ち込む。これにより、一日に数百本のビスを打ち込む作業は作業者の腰や腕への負担が大きい大変な苦渋作業であった。また、大規模な木造建築となると、ビスを打つ本数も膨大な量となり、例えば床工事全体の約８割を占めるほどになる。
【０００５】
このため、ビス打ち作業の省人化、効率化が、木造建築、特に床工事の作業を大幅に改善するために強く求められている。
【０００６】
本発明は、上記事情に鑑み、ビス打ち作業の省人化、効率化を図ることができ、木造建築、特に床工事の作業を大幅に改善することを可能にする連続ビス打ち装置を提供することを目的とする。
【課題を解決するための手段】
【０００７】
上記の目的を達するために、この発明は以下の手段を提供している。
【０００８】
本発明に係る連続ビス打ち装置は、ビスを打ち込んで部材を固定するためのビス打ち装置であって、フレームと、前記フレームに取り付けられ、ビス打ち装置を走行移動させるための走行移動手段と、前記フレームに一体に取り付けられた複数のビス打ち機と、前記複数のビス打ち機をそれぞれ選択的に駆動させるための制御手段とを備えることを特徴とする。
【０００９】
本発明に係る連続ビス打ち装置においては、前記複数のビス打ち機がそれぞれ、上下移動手段によって上下の位置を変えることができ、且つ、隣り合うビス打ち機の間隔が調整可能に構成されていることが望ましい。
【発明の効果】
【００１０】
本発明の連続ビス打ち装置によれば、ビス打ち作業の省人化、効率化を図ることができ、木造建築、特に床工事の作業を大幅に改善することが可能になる。
【図面の簡単な説明】
【００１１】
【図１】本発明の一実施形態に係る連続ビス打ち装置を示す側面図である。
【図２】本発明の一実施形態に係る連続ビス打ち装置を示す正面図である。
【図３】本発明の一実施形態に係る連続ビス打ち装置を示す平面図である。
【発明を実施するための形態】
【００１２】
以下、図１から図３を参照し、本発明の一実施形態に係る連続ビス打ち装置について説明する。
【００１３】
本実施形態の連続ビス打ち装置Ａは、図１から図３に示すように、略矩形枠状のフレーム１と、フレーム１の底部の前後の両側端部側にそれぞれ取り付けられた走行車輪（走行移動手段）２と、フレーム１の後部に一体に取り付けられ作業者が連続ビス打ち装置Ａを押したり、走行車輪２を駆動させて走行移動させるための操作手段（走行移動手段）３と、前部から後部に所定の間隔をあけ、フレーム１の一側部に一体に取り付けられた複数のビス打ち機４と、複数のビス打ち機４をそれぞれ選択的に駆動するための制御手段５とを備えて構成されている。本実施形態では、６台のビス打ち機４がフレーム１に取り付けられている。
【００１４】
また、本実施形態の連続ビス打ち装置Ａは、コンプレッサー６がフレーム１に設置されており、ビス打ち機４は圧縮空気を利用してエアシリンダ（上下移動手段）４ａにて上下するように構成されている。なお、ビス打ち機４は、勿論、手動でビスを打ち込むように構成したり、電動でビスを打ち込むように構成してもよい。
【００１５】
さらに、複数のビス打ち機４はそれぞれ、エアシリンダ４ａによって上下の位置が可変とされ、一度に複数本のビスを打ち込むことができるようになっている。また、複数のビス打ち機４はそれぞれ、前後方向の取り付け位置を任意に変えることができ、ビスの打ち込みピッチに合わせてビス打ち機４の位置を調整可能とされている。具体的には、ビス打ち機４（エアシリンダ４ａ含む）は、フレーム１に対して前後方向移動可能に取り付けられており、ビス打ち機４の本体部を手押しすることによりフレーム１に対して所望の位置に移動させることができる。なお、これらビス打ち機４の駆動等を作業者が制御手段（制御盤）５を操作することによって行うように構成されていてもよい。本実施形態では、制御手段５はビス打ち機４の始動及びビス打ち機４の上下動のために使用される。
【００１６】
本実施形態の連続ビス打ち装置Ａは、フレーム１の前部にはウインチ８が取り付けられている。さらに、フレーム１の所定位置には、装置全体の安定性を確保するためのウェイト９が取り付けられている。また、フレーム１の前部及び後部には、連続ビス打ち装置Ａの設置時の位置決め、すなわち、ビス打ちの位置合わせを行うため、及び連続ビス打ち装置Ａの走行移動を補助するためのガイドローラおよびビス打ち位置合わせ用差金などの位置決め手段１０が設けられている。なお、ウインチ８は、走行時や運搬時など、連続ビス打ち装置Ａの移動時に適宜使用する。
【００１７】
そして、上記構成からなる本実施形態の連続ビス打ち装置Ａを用いてビス打ち作業を行う際には、まず、作業者がビス打ち機４をビス打ちピッチに合わせて調整する。
【００１８】
次に、操作手段３を操作して連続ビス打ち装置Ａを、ガイドローラ（位置決め手段）１０によってビスを打ち込む位置へ移動する。また、ビス位置の墨に連続ビス打ち装置Ａをビス打ち位置合わせ用差金（位置決め手段）１０をガイドとして位置合わせする。
【００１９】
そして、例えば、制御手段５の制御盤の打ち込みボタンを押すと、６台のビス打ち機４がタイミングをずらして下降するとともにビスを打ち込み、ビス頭が打ち込み面まで到達すると、ビス打ち機４が上昇し、６本のビス打ちが完了する。
【００２０】
これにより、既に打ち込まれたビスに合わせ、複数のビス打ち機４の調整したピッチで連続的にビスを打設することができる。また、順次連続ビス打ち装置Ａを走行移動、位置決めしながらビス打ちを行うことで、膨大な量であっても効率的にビス打ちを行うことが可能になる。
【００２１】
したがって、本実施形態の連続ビス打ち装置Ａによれば、ビス打ち作業の省人化、効率化を図ることができ、木造建築、特に床工事の作業を大幅に改善することが可能になる。
【００２２】
以上、本発明に係る連続ビス打ち装置の一実施形態について説明したが、本発明は上記の一実施形態に限定されるものではなく、その趣旨を逸脱しない範囲で適宜変更可能である。
【００２３】
例えば、適材適所に、マーク、タグなどを設け、これを指標、目印にしながら連続ビス打ち装置を自動走行させてビス打ち作業を行うなどし、さらなるビス打ち作業の省人化、効率化を図るように構成してもよい。
【符号の説明】
【００２４】
１    フレーム
２    走行車輪（走行移動手段）
３    操作手段（走行移動手段）
４    ビス打ち機
４ａ  エアシリンダ（上下移動手段）
５    制御手段
６    コンプレッサー
７    トランス
８    ウインチ
９    ウェイト
１０  位置決め手段
Ａ    続ビス打ち装置
【図１】
2020001278.tif 000003
【図２】
2020001278.tif 000004
【図３】
2020001278.tif 000005